(57)【要約】【課題】既存の空調ユニットの構成はそのままでコストやスペースの有利性を確保しながら、冷房運転停止後、冷房運転時に蓄えられた蓄冷エネルギーにより要求される時間までの冷房運転の補完を達成することができる車両用蓄冷システムを提供すること。【解決手段】エバポレータ６とヒータコア９を内蔵する空調ユニットAUを備え、冷房運転時に蓄冷しておき、冷房運転停止後、蓄冷エネルギーを用いて冷房運転を補完する車両用蓄冷システムにおいて、ヒータコア９へのエンジン冷却水循環回路に並列接続し、エンジン冷却水の貯液層５０ａとエバポレータ６からの冷媒が流通する冷媒層５０ｂを有する蓄冷タンク５０と、冷房運転時、貯液層５０ａに貯留したエンジン冷却水をエバポレータ６からの冷媒により冷却する蓄冷モードと、冷房運転停止後、貯液層５０ａ内の冷却したエンジン冷却水をヒータコア９に導入する冷房補完モードと、を切り替えるモード切り替え手段と、を備えた。【選択図】図１
2008290485.tif 000002
【特許請求の範囲】
【請求項１】
エバポレータとヒータコアを内蔵する空調ユニットを備え、冷房運転時に蓄冷しておき、冷房運転停止後、蓄冷エネルギーを用いて冷房運転を補完する車両用蓄冷システムにおいて、
前記ヒータコアへのエンジン冷却水循環回路に並列接続し、エンジン冷却水の貯液層と前記エバポレータからの冷媒が流通する冷媒層を有する蓄冷タンクと、
冷房運転時、前記貯液層に貯留したエンジン冷却水をエバポレータからの冷媒により冷却する蓄冷モードと、冷房運転停止後、前記貯液層内の冷却したエンジン冷却水を前記ヒータコアに導入する冷房補完モードと、を切り替えるモード切り替え手段と、
を備えたことを特徴とする車両用蓄冷システム。
【請求項２】
請求項１に記載された車両用蓄冷システムにおいて、
前記モード切り替え手段は、
冷房運転時、前記貯液層の入口と出口を閉じてエンジン冷却水を溜めたままとするバルブ閉状態と、冷房運転停止後、前記貯液層の入口と出口を開きエンジン冷却水を前記ヒータコアに流通させるバルブ開状態とを切り替える切り替えバルブと、
冷房運転停止後、前記貯液層と前記ヒータコアとの間で冷却したエンジン冷却水を強制循環する循環ポンプと、
前記切り替えバルブと前記循環ポンプの作動制御と空調ユニットの制御により、冷房運転時の蓄冷モードと冷房運転停止後の冷房補完モードの切り替え制御を行うモード切り替え制御手段と、
を備えたことを特徴とする車両用蓄冷システム。
【請求項３】
請求項２に記載された車両用蓄冷システムにおいて、
前記モード切り替え制御手段は、エンジン作動の蓄冷モード時、前記切り替えバルブをバルブ閉とし、前記循環ポンプを停止し、貯液層に貯留したエンジン冷却水をエバポレータからの低温・低圧冷媒により冷却することを特徴とする車両用蓄冷システム。
【請求項４】
請求項２または請求項３に記載された車両用蓄冷システムにおいて、
前記モード切り替え制御手段は、エンジンストップ要求条件と空調ユニット作動条件と蓄冷完了条件の成立によりエンジンを停止し、前記切り替えバルブをバルブ開とし、前記循環ポンプを作動すると共に、空調ユニットのブロワを作動し、インテークドアを外気導入位置と内気循環位置のうち負荷の低い位置とし、温調ドアのヒータコア側を開くことで冷房補完モードを開始することを特徴とする車両用蓄冷システム。
【請求項５】
請求項４に記載された車両用蓄冷システムにおいて、
前記モード切り替え制御手段は、冷房補完モードの開始後、放冷完了条件が成立すると、前記切り替えバルブをバルブ閉とし、前記循環ポンプを停止すると共に、空調ユニットのブロワを停止することで冷房補完モードを終了することを特徴とする車両用蓄冷システム。
【請求項６】
請求項１乃至請求項５の何れか１項に記載された車両用蓄冷システムにおいて、
前記空調ユニットは、前記ヒータコアの下流位置に、暖房要求があるにもかかわらずエンジン冷却水が低温であるとき、暖房を補完する暖房補完手段を設定したことを特徴とする車両用蓄冷システム。
【請求項７】
請求項１乃至請求項６の何れか１項に記載された車両用蓄冷システムにおいて、
前記蓄冷タンクは、内側層と中間層と外側層を有し、前記内側層をエンジン冷却水の貯液層とし、前記中間層をエバポレータからの冷媒が流通する冷媒層とし、前記外側層を真空断熱層としたことを特徴とする車両用蓄冷システム。
【請求項８】
請求項７に記載された車両用蓄冷システムにおいて、
前記蓄冷タンクは、タンク構成要素を複数枚積層し、積層したタンク構成要素の開口部を入口側蓋板と出口側蓋板とで塞ぐことにより、前記貯液層と前記冷媒層と前記真空断熱層を形成した積層型蓄冷タンクとしたことを特徴とする車両用蓄冷システム。
【請求項９】
請求項１乃至請求項６の何れか１項に記載された車両用蓄冷システムにおいて、
前記蓄冷タンクは、内側層と中間層と外側層を有し、前記内側層をエンジン冷却水の貯液層とし、前記中間層をエバポレータからの冷媒が流通する冷媒層とし、前記外側層を蓄冷材層とし、該蓄冷材層に、相変化を伴って放熱・吸熱を行う潜熱蓄冷材を封入したことを特徴とする車両用蓄冷システム。
【発明の詳細な説明】
【技術分野】
【０００１】
本発明は、冷房運転時に蓄冷しておき、冷房運転停止後、蓄冷エネルギーを用いて冷房運転を補完する車両用蓄冷システムに関する。
【背景技術】
【０００２】
従来、車両用蓄冷システムとしては、自動車の空調エバポレータに適用され、エバポレータの冷却液の循環管路に隣接して熱保存液の空洞を配置し、冷却液の循環時に熱保存液に冷熱を保存し、冷却液の循環が停止した場合、冷熱を保存した熱保存液と空気流の間で熱交換を実施するものが知られている（例えば、特許文献１参照）。
【０００３】
従来の車両用蓄冷システムとしては、内部に蓄冷材を有する蓄冷熱交換器を備え、圧縮機の作動時には、蒸発器（エバポレータ）から流出される低温冷媒により蓄冷熱交換器の蓄冷材に蓄冷をし、圧縮機の停止時には、蒸発器による空調空気の冷却を継続可能とするものが知られている（例えば、特許文献２参照）。
【０００４】
従来の車両用蓄冷システムとしては、減速判断により加熱器（ヒータコア）へのエンジン冷却水の流れを遮断し、冷却器（エバポレータ）を通過した後の空気を加熱器へ通過させることで蓄冷し、アイドルストップ時、加熱器へ空気を導入し、蓄冷した冷熱を放出するものが知られている（例えば、特許文献３参照）。
【特許文献１】特開２００４−１８４０７１号公報
【特許文献２】特開２００７−１４８５号公報
【特許文献３】特開２００４−１４２５９６号公報
【発明の開示】
【発明が解決しようとする課題】
【０００５】
しかしながら、特許文献１の車両用蓄冷システムにあっては、エバポレータの構成が冷却液の循環管路に隣接して熱保存液の空洞を配置するものであるため、冷却液の循環管路のみを有する既存のエバポレータを用いることができず、新たに高コストで構造が複雑なエバポレータを用意する必要がある。また、エバポレータの熱交換領域に設定される空洞内に充填される熱保存液は、その充填量に限りがあるため、冷却液の循環が停止した後、冷房運転の補完時間が短い、という問題があった。
【０００６】
特許文献２の車両用蓄冷システムにあっては、圧縮機の停止時、コンデンサとエバポレータとの間での残圧により、冷媒を継続してエバポレータに流入可能である。そして、コンデンサとエバポレータとの間での残圧は、蓄冷材の蓄冷熱により生じる。これに対し、蓄冷熱交換器内の蓄冷材が蓄え得る冷熱容量には限りがあるし、蓄冷熱が残っていても必要な残圧が出なくなった時点でエバポレータへの冷媒流入が停止されるため、圧縮機の停止後、冷房運転の補完時間が短い、という問題があった。
【０００７】
特許文献３の車両用蓄冷システムにあっては、エバポレータを通過した後の空気をヒータコアへ通過させることでエンジン冷却水に蓄冷する冷風冷却であるため、蓄冷効果が低い。しかも、アイドルストップ時、ヒータコアへ空気を導入し、蓄冷した冷熱を放出するが、ヒータコアの熱交換領域に充填される水は、その充填量に限りがあり、アイドルストップ後、冷房運転の補完時間が短い、という問題があった。
【０００８】
本発明は、上記問題に着目してなされたもので、既存の空調ユニットの構成はそのままでコストやスペースの有利性を確保しながら、冷房運転停止後、冷房運転時に蓄えられた蓄冷エネルギーにより要求される時間までの冷房運転の補完を達成することができる車両用蓄冷システムを提供することを目的とする。
【課題を解決するための手段】
【０００９】
上記目的を達成するため、本発明では、エバポレータとヒータコアを内蔵する空調ユニットを備え、冷房運転時に蓄冷しておき、冷房運転停止後、蓄冷エネルギーを用いて冷房運転を補完する車両用蓄冷システムにおいて、
前記ヒータコアへのエンジン冷却水循環回路に並列接続し、エンジン冷却水の貯液層と前記エバポレータからの冷媒が流通する冷媒層を有する蓄冷タンクと、
冷房運転時、前記貯液層に貯留したエンジン冷却水をエバポレータからの冷媒により冷却する蓄冷モードと、冷房運転停止後、前記貯液層内の冷却したエンジン冷却水を前記ヒータコアに導入する冷房補完モードと、を切り替えるモード切り替え手段と、
を備えたことを特徴とする。
【発明の効果】
【００１０】
よって、本発明の車両用蓄冷システムにあっては、冷房運転時、蓄冷タンクの貯液層に貯留したエンジン冷却水をエバポレータからの冷媒により冷却する蓄冷モードとされ、冷房運転停止後、モード切り替え手段において、蓄冷タンクの貯液層内の冷却したエンジン冷却水をヒータコアに導入する冷房補完モードに切り替えられる。
すなわち、冷房補完モードでは、空調ユニットに既存のヒータコアを、冷却したエンジン冷却水を導入するクーラコアとして活用するシステムである。このため、蓄冷タンクとモード切り替え手段を追加するだけで、既存の空調ユニットの構成はそのままで良い。
また、冷風冷却より冷却効果が高い冷媒冷却であり、かつ、エンジン冷却水の充填を蓄冷タンクの貯液層にて行うため、冷熱エネルギーの蓄積量は、蓄冷タンクの容積設定により行えるという自由度を持つ。したがって、冷房運転停止後、冷房運転時に蓄えられた十分な蓄冷エネルギーにより、従来の車両用蓄冷システムに比べ、冷房運転の補完時間を延長することができる。例えば、信号待ちによるアイドルストップの平均時間の間、冷房運転を補完したいという要求に対し、蓄冷タンクの容積設定により、冷房運転の補完時間をアイドルストップの平均時間に一致させることが可能である。
この結果、既存の空調ユニットの構成はそのままでコストやスペースの有利性を確保しながら、冷房運転停止後、冷房運転時に蓄えられた蓄冷エネルギーにより要求される時間までの冷房運転の補完を達成することができる。
【発明を実施するための最良の形態】
【００１１】
以下、本発明の車両用蓄冷システムを実現する最良の形態を、図面に示す実施例１及び実施例２に基づいて説明する。
【実施例１】
【００１２】
まず、構成を説明する。
図１は実施例１の車両用蓄冷システムを示す全体システム図である。図２は実施例１の車両用蓄冷システムの蓄冷要部を示すサイクル図である。図３は実施例１の車両用蓄冷システムに用いられる蓄冷タンクの一例を示す断面図である。
【００１３】
実施例１の車両用蓄冷システムが適用された空調ユニットAUは、図１に示すように、空調ケース１と、インテークドア２と、クリーンフィルター３と、ブロワ４と、ブロワモータ５と、エバポレータ６と、第１エアミックスドア７（温調ドア）と、第２エアミックスドア８（温調ドア）と、ヒータコア９と、ＰＴＣヒータ１０（暖房補完手段）と、冷風バイパス通路１１と、温風通路１２と、ベントドア１３と、フットドア１４と、デフドア１５と、ベント吹き出し口１６と、フット吹き出し口１７と、デフ吹き出し口１８と、ベントダクト１９と、フットダクト２０と、デフダクト２１と、ベントグリル２２と、を備えている。
【００１４】
前記インテークドア２は、外気導入モード（図１の仮想線位置）と内気循環モード（図１の実線位置）とを切り替えるドアであり、図外のドアアクチュエータによる切り替え駆動により内外気切り替え制御が行われる。
【００１５】
前記エバポレータ６は、クリーンフィルター３及びブロワ４を介して通過する内気または外気を冷却する冷房用熱交換器であり、冷媒入口と冷媒出口を有する。なお、ブロワ４はブロワモータ５により駆動され、ブロワモータ５に対する駆動制御により風量を変更するブロワ制御が行われる。
【００１６】
前記第１エアミックスドア７及び第２エアミックスドア８は、前記エバポレータ６の下流位置に配置され、エバポレータ６を経過した冷風と、ヒータコア９を経過した温風との混合割合をドア開度により制御する。第１エアミックスドア７は、冷風バイパス通路１１を開閉し、第２エアミックスドア８は、温風通路１２を開閉する。なお、両エアミックスドア７，８は、ドアアクチュエータにより独立にドア開度が制御される。
【００１７】
前記ヒータコア９は、前記エバポレータ６及び前記第２エアミックスドア８の下流位置に配置され、通過する風を暖める暖房用熱交換器であり、エンジン冷却水入口とエンジン冷却水出口を有する。
【００１８】
前記ＰＴＣヒータ１０は、ヒータ内の樹脂（ＰＴＣ樹脂：絶縁体）と抵抗体（カーボン粒子：導体）による電気抵抗の制御により自動的に温度制御を行う面状発熱体である。ＰＴＣ（Positive Temperature Coefficientの略）とは、正温度係数のことである。ＰＴＣ樹脂は温度上昇と共に膨張するので、カーボン粒子の間隔が広がって電気抵抗が大きくなり、電流が低下し、温度が低下する。温度が下がると、ＰＴＣ樹脂が収縮するので、カーボン粒子の間隔が狭くなって電気抵抗が減少し、電流が増加し、温度が上昇する。この状態を繰り返すことで自動的に温度制御を行う。このＰＴＣヒータ１０は、通電後の温度上昇速度が速いという特性を持ち、暖房を補完する手段として好ましく、エンジン冷却水の温度が低いエンジン始動時等に、暖房を補完するＰＴＣ制御が行われる。
【００１９】
前記ベントドア１３は、冷風バイパス通路１１と温風通路１２の下流側のベント吹き出し口１６の位置に配置され、吹き出しモードとしてベントモード等が選択された時に開かれる。前記ベント吹き出し口１６には、冷風等を車室内の前席の左右位置及び中央位置に導くためのベントダクト１９が連結される。このベントダクト１９の車室内への開口位置には、風向きを調整可能なベントグリル２２が設定される。
【００２０】
前記フットドア１４は、冷風バイパス通路１１と温風通路１２の下流側のフット吹き出し口１７の位置に配置され、吹き出しモードとしてフットモード等が選択された時に開かれる。前記フット吹き出し口１７には、温風等を左右前席の乗員の足元に導くためのフットダクト２０が連結される。
【００２１】
前記デフドア１５は、冷風バイパス通路１１と温風通路１２の下流側のデフ吹き出し口１８の位置に配置され、吹き出しモードとしてデフモード等が選択された時に開かれる。前記デフ吹き出し口１８には、温風等をフロントガラスの内面に沿って導くためのデフダクト２１が連結される。
【００２２】
実施例１の車両用蓄冷システムが適用された空調ユニットAUのエバポレータ６を含む冷凍サイクルは、図１に示すように、コンプレッサ３０と、コンデンサ３１と、レシーバー３２と、エキスパンションバルブ３３と、エバポレータ６と、を備えている。
【００２３】
前記コンプレッサ３０は、エンジン４０により駆動され、ガス状の冷媒を圧縮して高温高圧の冷媒とし、コンデンサ３１へ送る。なお、コンプレッサ３０のエンジン駆動プーリ内には、電磁クラッチが内蔵され、電磁クラッチによりコンプレッサ３０の駆動・停止を制御するコンプレッサ制御が行われる。また、このコンプレッサ３０としては、固定容量型コンプレッサを用いても、可変容量型コンプレッサを用いても良い。
【００２４】
前記コンデンサ３１は、コンプレッサ３０から吐出された高温高圧の冷媒を、放熱することで液化冷媒とし、レシーバー３２へ送る。
【００２５】
前記レシーバー３２は、コンデンサ３１により液化された冷媒から、水分やゴミを除去し、エキスパンションバルブ３３へ送る。
【００２６】
前記エキスパンションバルブ３３は、高圧の液冷媒の圧力を下げることにより、急激に膨張させて低温低圧の霧状冷媒とし、エバポレータ６へ送る。
【００２７】
前記エバポレータ６は、エキスパンションバルブ３３からの霧状冷媒を流すことで空調ケース１内の周囲の空気から熱を奪って蒸発（気化）し、ガス状の冷媒とし、エバポレータ第１出口回路３４、蓄冷タンク５０、エバポレータ第２出口回路３５を介し、再びコンプレッサ３０へ送る。
【００２８】
実施例１の車両用蓄冷システムが適用された空調ユニットAUのヒータコア９を含む温水サイクルは、図１に示すように、エンジン４０と、ラジエータ４１と、サーモスタットバルブ４２と、ウォータポンプ４３と、ヒータコア９と、を備えている。
【００２９】
前記エンジン４０、ラジエータ４１またはバイパス回路４４と、サーモスタットバルブ４２、ウォータポンプ４３によりエンジン冷却水（温水）の第１循環経路が構成される。また、前記エンジン４０、ヒータコア入口回路４５、ヒータコア９、ヒータコア出口回路４６、ウォータポンプ４３によりエンジン冷却水（温水）の第２循環経路が構成される。両循環経路では、設定した温度で開閉するサーモスタットバルブ４２により循環経路のコントロールを行うことによりエンジン冷却水を適温に保つようにしている。
【００３０】
実施例１の車両用蓄冷システムは、図１に示すように、蓄冷タンク５０と、第１切り替えバルブ５１（切り替えバルブ）と、第２切り替えバルブ５２（切り替えバルブ）と、循環ポンプ５３と、空調コントローラ５４（モード切り替え制御手段）と、を備えている。
【００３１】
車両用蓄冷システムは、エバポレータ６とヒータコア９を内蔵する空調ユニットAUを備え、モード切り替え手段により、冷房運転時に蓄冷しておき、冷房運転停止後、蓄冷エネルギーを用いて冷房運転を補完するものである。
【００３２】
前記蓄冷タンク５０は、図１及び図２に示すように、ヒータコア９へのエンジン冷却水循環回路（ヒータコア入口回路４５とヒータコア出口回路４６）に並列接続し、図３に示すように、エンジン冷却水の貯液層５０ａとエバポレータ６からの冷媒が流通する冷媒層５０ｂを有する。
この蓄冷タンク５０は、図３に示すように、内側層と中間層と外側層を有し、前記内側層をエンジン冷却水の貯液層５０ａとし、前記中間層をエバポレータ６からの冷媒が流通する冷媒層５０ｂとし、前記外側層を真空断熱層５０ｃとしている。
さらに、蓄冷タンク５０は、図３に示すように、同一形状のタンク構成要素501を複数枚交互に反転させながら積層し、積層したタンク構成要素501の開口部を入口側蓋板502と出口側蓋板503とで塞ぐことにより、前記貯液層５０ａと前記冷媒層５０ｂと前記真空断熱層５０ｃを形成した積層型蓄冷タンクとしている。
【００３３】
前記モード切り替え手段は、冷房運転時、貯液層５０ａに貯留したエンジン冷却水をエバポレータ６からの冷媒により冷却する蓄冷モードと、冷房運転停止後、貯液層５０ａ内の冷却したエンジン冷却水をヒータコア９に導入する冷房補完モードと、を切り替える。このモード切り替え手段として、第１切り替えバルブ５１、第２切り替えバルブ５２、循環ポンプ５３、空調コントローラ５４が設けられている。
【００３４】
前記第１切り替えバルブ５１は、図１〜図３に示すように、ヒータコア入口回路４５と蓄冷タンク５０の貯液層５０ａを連通する第１分岐回路４５ａの分岐位置に設けられる。
【００３５】
前記第２切り替えバルブ５２は、図１〜図３に示すように、ヒータコア出口回路４６と蓄冷タンク５０の貯液層５０ａを連通する第２分岐回路４６ａの分岐位置に設けられる。
【００３６】
前記両切り替えバルブ５１，５２は、冷房運転時、貯液層５０ａの入口と出口を閉じてエンジン冷却水を溜めたままとするバルブ閉状態（図５参照）と、冷房運転停止後、貯液層５０ａの入口と出口を開きエンジン冷却水をヒータコア９に流通させるバルブ開状態（図９参照）とを切り替える。
【００３７】
前記循環ポンプ５３は、図１及び図２に示すように、ヒータコア出口回路４６の途中位置に設けられ、冷房運転停止後、ポンプ作動により、蓄冷タンク５０の貯液層５０ａに貯められた低温エンジン冷却水を、ヒータコア９に強制循環する。
【００３８】
前記空調コントローラ５４は、図１に示すように、両切り替えバルブ５１，５２と循環ポンプ５３の作動制御と空調ユニットAUの制御（エアミックスドア制御、内外気切り替え制御、ＰＴＣ制御、ブロワ制御等）により、冷房運転時の蓄冷モードと冷房運転停止後の冷房補完モードの切り替え制御を行う。
空調コントローラ５４には、図１に示すように、蓄冷タンク温度センサやエバポレータ直後面温度センサやヒータコア直後面温度センサや通常の空調制御に必要なセンサやスイッチ等のセンサ・スイッチ類５５から入力情報がもたらされる。
また、空調コントローラ５４は、エンジンコントローラ５６に対しＣＡＮ通信線５７により接続され、エンジンストップ信号等の情報交換を行いながら、信号停車時等にエンジン４０を一時的に停止するアイドルストップ制御と、エンジン停止後に冷房を補完する冷房補完制御の協調制御を行う。
【００３９】
図４は実施例１の空調コントローラにて実行されるモード切り替え制御処理の流れを示すフローチャートであり、以下、各ステップについて説明する（モード切り替え制御手段）。
【００４０】
ステップＳ１では、イグニッションスイッチがONであることを確認し、ステップＳ２では、エンジン４０がON（エンジン運転状態）であることを確認し、両者が確認された場合にステップＳ３へ移行する。
【００４１】
ステップＳ３では、ステップＳ２でのエンジン運転状態であるとの確認に続き、エンジンコントローラ５６側からエンジンストップ信号が出力されているか否かを判断し、エンジンストップ信号がOFFの場合にはステップＳ４へ移行し、エンジンストップ信号がONの場合にはステップＳ６へ移行する。
【００４２】
ステップＳ４では、ステップＳ３でのエンジンストップ信号がOFFであるとの判断、あるいは、ステップＳ８での蓄冷未完了であるとの判断に続き、エンジン４０を停止することなく、エンジン運転状態を保ち、ステップＳ５へ移行する。
【００４３】
ステップＳ５では、ステップＳ４でのエンジン４０を停止しないとの処理に続き、エンジン作動による蓄冷モードの制御を行うと共に、通常の空調制御やＰＴＣ制御を行い、ステップＳ１へ戻る。
蓄冷モードの制御は、最大冷房運転時を除いて第２エアミックスドア８を開（エアミックスドアのヒータコア側開）とし、両切り替えバルブ５１，５２をバルブ閉（蓄冷タンクバルブ閉）とし、循環ポンプ５３を停止（ポンプOFF）し、蓄冷タンク５０の貯液層５０ａに貯留したエンジン冷却水をエバポレータ６からの低温・低圧冷媒により冷却する。
通常の空調制御としては、目標温設定、日射量補正、吹き出し温度制御、吹き出しモード制御、内外気切り替え制御、エアミックスドア切り替え制御、コンプレッサ制御、ブロワ制御、クーリングファン制御等を行う。
ＰＴＣ制御は、冬季や寒冷地でのエンジン始動時等で、暖房要求があるにもかかわらずエンジン冷却水が低温であるとき、暖房を補完するべくＰＴＣヒータ１０をONとする制御を行う。
【００４４】
ステップＳ６では、ステップＳ３でのエンジンストップ信号がONであるとの判断に続き、エアコンスイッチがOFFかONかの判断を行い、エアコンスイッチがOFFの場合はステップＳ７へ移行し、エアコンスイッチがONの場合はステップＳ８へ移行する。
【００４５】
ステップＳ７では、ステップＳ６でのエアコンスイッチがOFFであるとの判断に続き、エンジン４０を停止し、ステップＳ１へ戻る。
【００４６】
ステップＳ８では、ステップＳ６でのエアコンスイッチがONであるとの判断に続き、蓄冷が完了したか否かを判断し、YESの場合はステップＳ９へ移行し、NOの場合はステップＳ４へ移行する。
ここで、蓄冷タンク５０での蓄冷完了判断は、蓄冷タンク温度センサからの蓄冷タンク温度に基づき行うもので、併せて、エバポレータ直後面温度やヒータコア直後面温度の情報を考慮する。
【００４７】
ステップＳ９では、ステップＳ８での蓄冷タンク５０による蓄冷完了との判断に続き、第２エアミックスドア８を閉（エアミックスドアのヒータコア側閉）とし、ステップＳ１０へ移行する。
【００４８】
ステップＳ１０では、ステップＳ９でのエアミックスドアのヒータコア側閉に続き、冷房運転を停止する環境であるか否かを判断する。そして、冷房運転を継続する環境であるとの判断時には、エンジンストップＮＧとし、エンジン４０を停止することなくステップＳ５へ移行する。また、冷房運転の停止を許可する環境であるとの判断時には、エンジンストップＯＫとの判断に基づき、ステップＳ１１へ移行する。
ここで、冷房運転を停止する環境であるか否かの判断情報としては、外気温度、室内温度、日射量、吹き出し温度等を用いる。すなわち、夏季炎天下等の状況では、冷房運転を継続する環境であると判断し、エンジン４０を停止することなく冷房運転を継続する。
【００４９】
ステップＳ１１では、ステップＳ１０での冷房運転の停止を許可する環境であるとの判断に続き、エンジン４０を停止し、ステップＳ１２へ移行する。
すなわち、エンジンストップ要求条件（ステップＳ３でのON）と、空調ユニット作動条件（ステップＳ６でのON）と、蓄冷完了条件（ステップＳ８でYES）と、冷房運転停止許可条件（ステップＳ１０でのエンジンストップOK）の成立により、エンジン４０を停止する。
【００５０】
ステップＳ１２では、ステップＳ１１でのエンジン停止に続き、両切り替えバルブ５１，５２をバルブ開（蓄冷タンクバルブ開）とし、循環ポンプ５３を作動（ポンプON）すると共に、空調ユニットAUのブロワ４を作動（ブロワON）し、内外気温度により負荷を判断し、外気導入位置と内気循環位置のうち負荷の低い方を選択し、インテークドア２を選択した位置に切り替える（内外気切り替え制御）、第２エアミックスドア８を開（エアミックスドアのヒータコア側開）とすることで冷房補完モードを開始し、ステップＳ１３へ移行する。
【００５１】
ステップＳ１３では、ステップＳ１２での冷房補完モードによる制御に続き、蓄冷タンク５０での放冷が完了したか否かが判断され、NOと判断された場合はステップＳ１２へ戻って冷房補完モードを継続し、YESと判断された場合はステップＳ１４へ移行する。
ここで、蓄冷タンク５０での放冷完了判断は、蓄冷完了判断と同様に、蓄冷タンク温度センサからの蓄冷タンク温度に基づき行うもので、併せて、エバポレータ直後面温度やヒータコア直後面温度の情報を考慮する。
【００５２】
ステップＳ１４では、ステップＳ１３での蓄冷タンク５０での放冷が完了したとの判断に続き、両切り替えバルブ５１，５２をバルブ閉（蓄冷タンクバルブ閉）とし、循環ポンプ５３を停止する（ポンプOFF）と共に、空調ユニットAUのブロワ４を停止することで冷房補完モードを終了し、ステップＳ１へ戻る。
【００５３】
次に、本発明に至った経緯について説明する。
近年、燃費改善要求と排出ガスの低減による環境改善要求から、駐停車時にエンジンを一時的に停止するアイドルストップが注目されていて、手動によりエンジン停止とエンジン始動を行うアイドルストップに限らず、半自動や自動によるアイドルストップ制御システムを搭載した車両も実現化している。例えば、直噴形式をとるエンジン搭載車では、エンジンの起動時間を非常に短くすることが可能となり、車両が停止したらエンジンを切り、発進前のクラッチ・シフトレバー操作を感知して、自動的にエンジンをスタートさせるアイドルストップ制御システムを採用している。
【００５４】
このアイドルストップは、エンジン停止後、燃料消費量が高いエンジン始動を行う必要があるため、あまりにも短い時間、エンジンを停止させたのでは燃費改善とはならない。例えば、2000ccのＡＴ車のデータによると、エンジン始動時の燃料増加分は、アイドリングの５秒分に相当する。このため、５秒以上エンジン停止を行うことにより、燃費改善効果を発揮する。さらに、乗車時間のうち、停止時間が走行時間とほぼ等しくなるような都市部では、４７％の停止時間のうち、約半分の２５％の時間をアイドルストップとすることで約１４％の燃費改善効果が得られることも知られている。
【００５５】
しかしながら、冷房運転による走行時、アイドルストップを優先して実行すると、車載された空調ユニットは、エンジンにより駆動されるコンプレッサを用いて冷房運転を行うため、エンジン停止と同時に冷凍サイクルによる冷媒循環も停止し、エバポレータへの冷媒供給が停止するため、エンジン停止後、短時間のうちに車室内温度が上昇し、車室内快適性を悪化させてしまう。特に、マニュアルの空調ユニット等を搭載した小型車の場合、アイドルストップを行うと狭い車室内温度が急に上昇するため、燃費改善要求があるにもかかわらず、アイドルストップが殆ど利用されていないのが現状である。
【００５６】
すなわち、冷房運転による走行時、車室内冷房により制約を受けることなく、アイドルストップ時間を長い時間確保するには、エンジン停止後、車室内への冷気供給を継続する冷房運転の補完時間をどれだけ延ばすかが重要である。
例えば、信号待ち時間の平均時間は６０秒前後であり、この信号待ち時間の間、冷房運転を補完することができたら、エンジンを停止するアイドルストップ時間を長い時間確保することができ、燃費改善や環境改善の実効を図ることができる。
【００５７】
これに対し、従来技術として提案されている車両用蓄冷システムは、いずれも冷熱の蓄熱容量が小さい等の問題があり、冷房運転の補完時間が短く、冷房運転停止後、冷房運転時に蓄えられた蓄冷エネルギーにより、要求される時間（例えば、６０秒前後）までの冷房運転の補完を達成することができない。
【００５８】
本発明者は、冷房運転の補完時間を長く延ばしたいという要求に対し、冷房運転時には温水系を循環しているものの熱交換への関与が冷媒よりも低いエンジン冷却水に着目し、エンジン冷却水を貯める蓄冷タンクを設定し、貯めたエンジン冷却水をエバポレータからの冷媒により冷却し、放冷は既存のヒータコアを活用する構成を採用した。この構成を採用したことにより、蓄冷能力が向上し、冷房運転の補完時間を長く延ばし、車室内快適性を維持することができる。
【００５９】
次に、作用を説明する。
以下、実施例１の車両用蓄冷システムにおける作用を、「最大冷房運転作用」、「温度調整運転および蓄冷運転作用」、「蓄冷完了作用」、「冷房運転の補完作用」に分けて説明する。
【００６０】
［最大冷房運転作用］
図５は実施例１の車両用蓄冷システムにおける冷房・蓄冷モードでの蓄冷要部を示す作用説明図である。図６は実施例１の車両用蓄冷システムにおける最大冷房運転時の空調ユニットAUを示す要部断面図である。
【００６１】
エンジン作動状態での最大冷房運転時には、図４のフローチャートにおいて、ステップＳ１→ステップＳ２→ステップＳ３→ステップＳ４→ステップＳ５という流れが繰り返される。そして、ステップＳ５では、図６に示すように、第１エアミックスドア７が全開とされ、第２エアミックスドア８が全閉とされる。また、両切り替えバルブ５１，５２は、図５に示すように、第１分岐回路４５ａと第２分岐回路４６ａへの流れを遮断するバルブ閉とされ、ヒータコア入口回路４５とヒータコア出口回路４６の流れを許可することで、ヒータコア９への通常のエンジン冷却水循環回路を構成する。また、循環ポンプ５３は、図５に示すように、ポンプ作動が停止される。
【００６２】
したがって、最大冷房運転時には、ブロワ４により送風される内気が、エバポレータ６にて周囲の熱を奪って熱交換され、エバポレータ６を経過した冷風が、ベントドア１３→ベント吹出し口１６→ベントダクト１９→ベントグリル２２を経過して、車室内の前席の左右位置及び中央位置から吹き出される（最大冷房運転）。
【００６３】
なお、この最大冷房運転時には、エバポレータ６で行われる風量及び温度差の大きな熱交換により、エバポレータ６から出る冷媒の温度が高くなるため、エバポレータ６からの冷媒が持つ小さな残留冷熱エネルギーにより、蓄冷タンク５０の貯液層５０ａに貯留したエンジン冷却水を冷却するにとどまる。
【００６４】
［温度調整運転および蓄冷運転作用］
図７は実施例１の車両用蓄冷システムにおける温度調整運転および蓄冷運転時の空調ユニットAUを示す要部断面図である。
【００６５】
エンジン作動状態での温度調整運転および蓄冷運転時には、図４のフローチャートにおいて、ステップＳ１→ステップＳ２→ステップＳ３→ステップＳ４→ステップＳ５という流れが繰り返される。そして、ステップＳ５では、図７に示すように、第１エアミックスドア７が半開とされ、第２エアミックスドア８が半開とされる。また、両切り替えバルブ５１，５２は、図５に示すように、第１分岐回路４５ａと第２分岐回路４６ａへの流れを遮断するバルブ閉とされ、ヒータコア入口回路４５とヒータコア出口回路４６の流れを許可することで、ヒータコア９への通常のエンジン冷却水循環回路を構成する。また、循環ポンプ５３は、図５に示すように、ポンプ作動が停止される。
【００６６】
したがって、温度調整運転および蓄冷運転時であって、ベントモード選択時には、ブロワ４により送風される内気または外気のうち、エバポレータ６を経過する風は、周囲の熱を奪う熱交換により冷風となり、ヒータコア９及びＰＴＣヒータ１０を経過する風は、熱を貰う熱交換により温風となり、冷風と温風を混合して温度調整された混合風が、ベントドア１３→ベント吹出し口１６→ベントダクト１９→ベントグリル２２を経過して、車室内の前席の左右位置及び中央位置から吹き出される。なお、吹き出し温度を低くしたい場合は、第１エアミックスドア７のドア開度を大きくし、また、吹き出し温度を高くしたい場合は、第２エアミックスドア８のドア開度を大きくすることで、調整することができる（温度調整運転）。
【００６７】
この温度調整運転および蓄冷運転時には、エバポレータ６で行われる風量及び温度差の小さな熱交換により、エバポレータ６から出る冷媒の温度が低くなるため、エバポレータ６からの低温・低圧冷媒が持つ大きな残留冷熱エネルギーにより、蓄冷タンク５０の貯液層５０ａに貯留したエンジン冷却水を冷却する作用を示す（蓄冷運転）。
【００６８】
［蓄冷完了作用］
図８は実施例１の車両用蓄冷システムにおける蓄冷完了時の空調ユニットAUを示す要部断面図である。
【００６９】
エンジンコントローラ５６からエンジンストップ信号を入力した時であって、蓄冷が完了していない時には、図４のフローチャートにおいて、ステップＳ１→ステップＳ２→ステップＳ３→ステップＳ６→ステップＳ８→ステップＳ４→ステップＳ５という流れが繰り返される。すなわち、ステップＳ８にて蓄冷完了と判断されるまでは、エバポレータ６からの低温・低圧冷媒により蓄冷タンク５０の貯液層５０ａに貯留したエンジン冷却水を冷却する蓄冷運転（図７）が継続される。
【００７０】
そして、ステップＳ８にて蓄冷完了と判断されると、ステップＳ８からステップＳ９へと進み、ステップＳ９において、図８に示すように、第２エアミックスドア８が閉とされる。この第２エアミックスドア８をドア閉とすることによって、冷風の流れのみとして冷房運転を最大冷房運転側に強め、蓄冷タンク５０の貯液層５０ａに貯留したエンジン冷却水の冷却作用の進行を抑える。
【００７１】
そして、第２エアミックスドア８をドア閉とした蓄冷完了状態で、図４のフローチャートにおいて、ステップＳ９からステップＳ１０へと進み、ステップＳ１０において、冷房運転を停止する環境であるか否かを判断する。そして、夏季炎天下等の状況等であって、冷房運転を継続する環境であるとの判断された場合に限り、エンジンストップＮＧとし、エンジン４０を停止することなくステップＳ５へ進む。一方、夏季炎天下等の状況等以外であって、冷房運転の停止を許可する環境であるとの判断時には、エンジンストップＯＫとの判断に基づき、ステップＳ１１へ進み、エンジン４０を停止し、アイドルストップ制御を開始する。
【００７２】
［冷房運転の補完作用］
図９は実施例１の車両用蓄冷システムにおけるエンジン停止時の冷房補完モードでの蓄冷要部を示す作用説明図である。図１０は実施例１の車両用蓄冷システムにおけるアイドルストップ時冷房状態の空調ユニットAUを示す要部断面図である。
【００７３】
エンジンストップ要求条件（ステップＳ３でのON）と、空調ユニット作動条件（ステップＳ６でのON）と、蓄冷完了条件（ステップＳ８でYES）と、冷房運転停止許可条件（ステップＳ１０でのエンジンストップOK）が成立した場合、図４のフローチャートにおいて、ステップＳ１→ステップＳ２→ステップＳ３→ステップＳ６→ステップＳ８→ステップＳ９→ステップＳ１０→ステップＳ１１→ステップＳ１２へと進む。そして、ステップＳ１１において、エンジン４０を停止し、ステップＳ１２では、アイドルストップ制御を開始する。このアイドルストップ制御の開始と同時に、図９に示すように、両切り替えバルブ５１，５２がバルブ開（蓄冷タンクバルブ開）とされ、循環ポンプ５３が作動（ポンプON）される。併せて、図１０に示すように、空調ユニットAUのブロワ４が作動（ブロワON）され、インテークドア２が外気導入位置と内気循環位置のうち負荷の低い方の位置とされ（内外気切り替え制御）、第２エアミックスドア８が開（エアミックスドアのヒータコア側開）とされることで、冷房補完モードを開始する。
【００７４】
したがって、アイドルストップ制御が開始されると、これと同時に、蓄冷タンク５０の貯液層５０ａに蓄えられていた低温のエンジン冷却水が、図９に示すように、循環ポンプ５３の作動により、第１分岐回路４５ａ→第１切り替えバルブ５１→ヒータコア入口回路４５→ヒータコア９→ヒータコア出口回路４６→第２分岐回路４６ａを繰り返す強制循環にて流れる。このため、図１０に示すように、内気循環によりブロワ４からの送風が、ヒータコア９を経過するとき、送風の持つ熱が低温エンジン冷却水により奪われ、ヒータコア９を経過した冷風を車室内に吹き出すという冷房運転の補完作用が発揮される。
この冷房運転の補完作用は、ステップＳ１３において、蓄冷タンク５０での放冷が完了したと判断されるまで継続される。
【００７５】
次に、ステップＳ１３において、蓄冷タンク５０での放冷が完了したと判断されると、ステップＳ１４において、両切り替えバルブ５１，５２がバルブ閉（蓄冷タンクバルブ閉）とされ、循環ポンプ５３が停止される（ポンプOFF）と共に、空調ユニットAUのブロワ４が停止されることで冷房補完モードを終了する。
【００７６】
上記のように、実施例１の車両用蓄冷システムにあっては、主に温度調整による冷房運転時、蓄冷タンク５０の貯液層５０ａに貯留したエンジン冷却水をエバポレータ６からの冷媒により冷却する蓄冷モードとされ、アイドルストップによる冷房運転停止後、蓄冷タンク５０の貯液層５０ａ内の冷却したエンジン冷却水をヒータコア９に導入する冷房補完モードに切り替えられる。
【００７７】
すなわち、冷房補完モードでは、空調ユニットに既存のヒータコアを、冷却したエンジン冷却水を導入するクーラコアとして活用するシステムである。このため、蓄冷タンク５０とモード切り替え手段としての両切り替えバルブ５１，５２や循環ポンプ５３を追加するだけで、既存の空調ユニットAUの構成はそのままで良く、コストやスペースの有利性を確保することができる。
【００７８】
また、冷風冷却より冷却効果が高い冷媒冷却であり、かつ、エンジン冷却水の充填を蓄冷タンク５０の貯液層５０ａにて行うため、冷熱エネルギーの蓄積量は、蓄冷タンク５０の容積設定により行えるという自由度を持つ。したがって、アイドルストップによる冷房運転停止後、主に温度調整による冷房運転時に蓄えられた十分な蓄冷エネルギーにより、従来の車両用蓄冷システムに比べ、冷房運転の補完時間を延長することができる。
例えば、信号待ちによるアイドルストップの平均時間（約６０秒）の間、冷房運転を補完したいという要求に対し、蓄冷タンク５０の容積設定により、冷房運転の補完時間をアイドルストップの平均時間に一致させることが可能である。
【００７９】
次に、効果を説明する。
実施例１の車両用蓄冷システムにあっては、下記に列挙する効果を得ることができる。
【００８０】
(1) エバポレータ６とヒータコア９を内蔵する空調ユニットAUを備え、冷房運転時に蓄冷しておき、冷房運転停止後、蓄冷エネルギーを用いて冷房運転を補完する車両用蓄冷システムにおいて、前記ヒータコア９へのエンジン冷却水循環回路に並列接続し、エンジン冷却水の貯液層５０ａと前記エバポレータ６からの冷媒が流通する冷媒層５０ｂを有する蓄冷タンク５０と、冷房運転時、前記貯液層５０ａに貯留したエンジン冷却水をエバポレータ６からの冷媒により冷却する蓄冷モードと、冷房運転停止後、前記貯液層５０ａ内の冷却したエンジン冷却水を前記ヒータコア９に導入する冷房補完モードと、を切り替えるモード切り替え手段と、を備えたため、既存の空調ユニットAUの構成はそのままでコストやスペースの有利性を確保しながら、冷房運転停止後、冷房運転時に蓄えられた蓄冷エネルギーにより要求される時間までの冷房運転の補完を達成することができる。
【００８１】
(2) 前記モード切り替え手段は、冷房運転時、前記貯液層５０ａの入口と出口を閉じてエンジン冷却水を溜めたままとするバルブ閉状態と、冷房運転停止後、前記貯液層５０ａの入口と出口を開きエンジン冷却水を前記ヒータコア９に流通させるバルブ開状態とを切り替える切り替えバルブ５１，５２と、冷房運転停止後、前記貯液層５０ａと前記ヒータコア９との間で冷却したエンジン冷却水を強制循環する循環ポンプ５３と、前記切り替えバルブ５１，５２と前記循環ポンプ５３の作動制御と空調ユニットAUの制御により、冷房運転時の蓄冷モードと冷房運転停止後の冷房補完モードの切り替え制御を行う空調コントローラ５４と、を備えたため、空調コントローラ５４に切り替えバルブ５１，５２と循環ポンプ５３の作動制御を加えるだけで、冷房運転時の蓄冷モードと冷房運転停止後の冷房補完モードの切り替え制御を行うことができる。
【００８２】
(3) 前記空調コントローラ５４は、エンジン作動の蓄冷モード時、前記切り替えバルブ５１，５２をバルブ閉とし、前記循環ポンプ５３を停止し（ステップＳ５）、貯液層５０ａに貯留したエンジン冷却水をエバポレータ６からの低温・低圧冷媒により冷却するため、冷風冷却に比べて冷却効果が高い冷媒冷却により、蓄冷タンク５０の貯液層５０ａに貯留しているエンジン冷却水を効果的に冷却することができる。
【００８３】
(4) 前記空調コントローラ５４は、エンジンストップ要求条件（ステップＳ３でON）と空調ユニット作動条件（ステップＳ６でON）と蓄冷完了条件（ステップＳ８でYES）の成立によりエンジン４０を停止し（ステップＳ１１）、前記切り替えバルブ５１，５２をバルブ開とし、前記循環ポンプ５３を作動すると共に、空調ユニットAUのブロワ４を作動し、インテークドア２を外気導入位置と内気循環位置のうち負荷の低い位置とし、エアミックスドア７，８のヒータコア側を開く（ステップＳ１２）ことで冷房補完モードを開始するため、エンジンストップ要求条件が出ているときでも蓄冷が完了していない場合は蓄冷完了条件の成立を待ち、アイドルストップ制御を行うときには必ず冷房運転の補完制御を行うという協調制御により、燃費・環境性能の向上と車室内快適性の確保との両立を図ることができる。
【００８４】
(5) 前記空調コントローラ５４は、冷房補完モードの開始後、放冷完了条件が成立すると（ステップＳ１３でYES）、前記切り替えバルブ５１，５２をバルブ閉とし、前記循環ポンプ５３を停止すると共に、空調ユニットAUのブロワ４を停止する（ステップＳ１４）ことで冷房補完モードを終了するため、冷熱エネルギーを放出する前に冷房運転の補完が終了したり、冷熱エネルギーを放出した後まで冷房運転の補完が続いたりすることなく、蓄冷タンク５０に蓄えられた冷熱エネルギーを放出するまでの最適なタイミングまで冷房運転の補完時間を維持することができる。
【００８５】
(6) 前記空調ユニットAUは、前記ヒータコア９の下流位置に、暖房要求があるにもかかわらずエンジン冷却水が低温であるとき、暖房を補完するＰＴＣヒータ１０を設定したため、エンジン冷却水が低温である暖房要求時、ヒータコア９に代えて暖房運転を有効に補完することができる。つまり、空調ユニットAUは、冷房運転の補完と暖房運転の補完の両補完機能を併せて達成することができる。
【００８６】
(7) 前記蓄冷タンク５０は、内側層と中間層と外側層を有し、前記内側層をエンジン冷却水の貯液層５０ａとし、前記中間層をエバポレータ６からの冷媒が流通する冷媒層５０ｂとし、前記外側層を真空断熱層５０ｃとしたため、真空断熱層５０ｃによる高い断熱性により、真空断熱層を持たないタンクに比べ、エバポレータ６からの冷媒が持つ冷熱エネルギーの損失や貯液層５０ａ内のエンジン冷却水が蓄えた冷熱エネルギーの損失を小さく抑えることができる。
【００８７】
(8) 前記蓄冷タンク５０は、タンク構成要素501を複数枚積層し、積層したタンク構成要素501の開口部を入口側蓋板502と出口側蓋板503とで塞ぐことにより、前記貯液層５０ａと前記冷媒層５０ｂと前記真空断熱層５０ｃを形成した積層型蓄冷タンクとしたため、冷房運転の補完時間の変更や車種の変更等により、蓄冷タンク５０の容積を変更する要求があった場合、設定された容積毎に異なる形状のタンクを用意する必要がなく、タンク構成要素501の積層枚数を変更するだけで容積変更要求に対し容易に対応することができる。
【実施例２】
【００８８】
実施例２は、蓄冷タンクの外側層を、真空断熱層に代え、潜熱蓄冷材を封入した蓄冷材層とした例である。
【００８９】
まず、構成を説明する。
図１１は実施例２の車両用蓄冷システムに用いられる蓄冷タンクの一例を示す断面図である。
【００９０】
実施例２の蓄冷タンク５０は、図１１に示すように、内側層と中間層と外側層を有し、前記内側層をエンジン冷却水の貯液層５０ａとし、前記中間層をエバポレータ６からの冷媒が流通する冷媒層５０ｂとし、前記外側層を蓄冷材層５０ｄとし、該蓄冷材層５０ｄに、相変化を伴って放熱・吸熱を行う潜熱蓄冷材５０ｅを封入している。
ここで、潜熱蓄冷材５０ｅとしては、例えば、n-パラフィンをカプセル化、あるいは、パッケージ化したものを用いる。このn-パラフィンは、炭素鎖数に対応して広範な温度域をカバーでき（凝固点-50〜80℃）、溶融潜熱も130〜250KJ/Kgと高い。
【００９１】
さらに、蓄冷タンク５０は、図１１に示すように、同一形状のタンク構成要素501を複数枚交互に反転させながら積層し、積層したタンク構成要素501の開口部を入口側蓋板502と出口側蓋板503とで塞ぐことにより、前記貯液層５０ａと前記冷媒層５０ｂと前記潜熱蓄冷材５０ｅを形成した積層型蓄冷タンクとしている。なお、他のシステム構成は、実施例１と同様であるため、図示並びに説明を省略する。
【００９２】
次に、作用を説明すると、冷房運転時の蓄冷モードにおいては、エバポレータ６から冷媒が冷媒層５０ｂへ供給されることで、貯液層５０ａのエンジン冷却水が冷却されると共に、エバポレータ６からの冷媒が冷媒層５０ｂへ供給されることで、蓄冷材層５０ｄの潜熱蓄冷材５０ｅが液相から固相へと相変化し、冷熱を蓄熱する。そして、冷房運転停止後の冷房補完モードにおいては、低温エンジン冷却水がヒータコア９に導入され、エンジン冷却水の温度が上がっていくと、蓄冷材層５０ｄの潜熱蓄冷材５０ｅが固相から液相へと相変化し、蓄熱した冷熱を放出し、エンジン冷却水の温度上昇を抑える。
【００９３】
すなわち、実施例２の蓄冷システムでは、蓄冷材層５０ｄに潜熱蓄冷材５０ｅを封入した分、実施例１に比べて蓄冷能力が向上し、冷房運転の補完時、車室内への吹き出し温度の上昇をより延ばすことができる。なお、他の作用は、実施例１と同様であるので、説明を省略する。
【００９４】
次に、効果を説明する。
実施例２の車両用蓄冷システムにあっては、実施例１の(1)〜(6),(8)の効果に加え、下記の効果を得ることができる。
【００９５】
(9) 前記蓄冷タンク５０は、内側層と中間層と外側層を有し、前記内側層をエンジン冷却水の貯液層５０ａとし、前記中間層をエバポレータ６からの冷媒が流通する冷媒層５０ｂとし、前記外側層を蓄冷材層５０ｄとし、該蓄冷材層５０ｄに、相変化を伴って放熱・吸熱を行う潜熱蓄冷材５０ｅを封入したため、実施例１に比べて蓄冷能力が向上し、冷房運転の補完時、車室内への吹き出し温度の上昇をより延ばすことができる。
【００９６】
以上、本発明の車両用蓄冷システムを実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００９７】
実施例１，２では、蓄冷タンク５０として容積対応性を持つ積層型蓄冷タンクを用いる例を示したが、例えば、図１２に示すように、蓄冷タンク５０として多重円筒型蓄冷タンクを用いても良い。この多重円筒型蓄冷タンクの場合、図１２に示すように、内筒部511と中間筒部512と外筒部513を同心状に配置し、これらを第１蓋材514と第２蓋材515により塞ぐことで、貯液層５０ａ、冷媒層５０ｂ、真空断熱層５０ｃ（または蓄冷材層５０ｄ）に分け、さらに、第１カバー材516と第２カバー材517により両端面を覆うことで構成される。
【００９８】
実施例１，２では、モード切り替え手段として、両切り替えバルブ５１，５２と、循環ポンプ５３と、空調コントローラ５４（モード切り替え制御手段）により構成した例を示したが、これらの構成に限られるものではなく、様々な変更や追加等を行う例としても良い。要するに、ヒータコアへのエンジン冷却水循環回路に並列接続し、エンジン冷却水の貯液層とエバポレータからの冷媒が流通する冷媒層を有する蓄冷タンクと、冷房運転時、貯液層に貯留したエンジン冷却水をエバポレータからの冷媒により冷却する蓄冷モードと、冷房運転停止後、貯液層内の冷却したエンジン冷却水をヒータコアに導入する冷房補完モードと、を切り替えるモード切り替え手段と、を備えたものであれば、実施例１には限られることはない。
【産業上の利用可能性】
【００９９】
実施例１，２では、アイドルストップ制御を行うエンジン車へ車両用蓄冷システムを適用する例を示したが、ハイブリッド車等の車両用蓄冷システムに対しても適用することができる。要するに、エバポレータとヒータコアを内蔵する空調ユニットを備え、冷房運転時に蓄冷しておき、冷房運転停止後、蓄冷エネルギーを用いて冷房運転を補完する車両用蓄冷システムであれば適用できる。
【図面の簡単な説明】
【０１００】
【図１】実施例１の車両用蓄冷システムを示す全体システム図である。
【図２】実施例１の車両用蓄冷システムの蓄冷要部を示すサイクル図である。
【図３】実施例１の車両用蓄冷システムに用いられる蓄冷タンクの一例を示す断面図である。
【図４】実施例１の空調コントローラにて実行されるモード切り替え制御処理の流れを示すフローチャートである。
【図５】実施例１の車両用蓄冷システムにおける冷房・蓄冷モードでの蓄冷要部を示す作用説明図である。
【図６】実施例１の車両用蓄冷システムにおける最大冷房運転時の空調ユニットAUを示す要部断面図である。
【図７】実施例１の車両用蓄冷システムにおける温度調整運転および蓄冷運転時の空調ユニットAUを示す要部断面図である。
【図８】実施例１の車両用蓄冷システムにおける蓄冷完了時の空調ユニットAUを示す要部断面図である。
【図９】実施例１の車両用蓄冷システムにおけるエンジン停止時の冷房補完モードでの蓄冷要部を示す作用説明図である。
【図１０】実施例１の車両用蓄冷システムにおけるアイドルストップ時冷房状態の空調ユニットAUを示す要部断面図である。
【図１１】実施例２の車両用蓄冷システムに用いられる蓄冷タンクの一例を示す断面図である。
【図１２】車両用蓄冷システムに用いられる蓄冷タンクの他の例を示す断面図である。
【符号の説明】
【０１０１】
AU  空調ユニット
１  空調ケース
２  インテークドア
３  クリーンフィルター
４  ブロワ
５  ブロワモータ
６  エバポレータ
７  第１エアミックスドア（温調ドア）
８  第２エアミックスドア（温調ドア）
９  ヒータコア
１０  ＰＴＣヒータ（暖房補完手段）
１１  冷風バイパス通路
１２  温風通路
１３  ベントドア
１４  フットドア
１５  デフドア
１６  ベント吹き出し口
１７  フット吹き出し口
１８  デフ吹き出し口
１９  ベントダクト
２０  フットダクト
２１  デフダクト
２２  ベントグリル
３０  コンプレッサ
３１  コンデンサ
３２  レシーバー
３３  エキスパンションバルブ
３４  エバポレータ第１出口回路
３５  エバポレータ第２出口回路
４０  エンジン
４１  ラジエータ
４２  サーモスタットバルブ
４３  ウォータポンプ
４４  バイパス回路
４５  ヒータコア入口回路
４６  ヒータコア出口回路
５０  蓄冷タンク
５０ａ  貯液層
５０ｂ  冷媒層
５０ｃ  真空断熱層
５０ｄ  蓄冷材層
５０ｅ  潜熱蓄冷材
５１  第１切り替えバルブ（切り替えバルブ）
５２  第２切り替えバルブ（切り替えバルブ）
５３  循環ポンプ
５４  空調コントローラ（モード切り替え制御手段）
【図１】
2008290485.tif 000003
【図２】
2008290485.tif 000004
【図３】
2008290485.tif 000005
【図４】
2008290485.tif 000006
【図５】
2008290485.tif 000007
【図６】
2008290485.tif 000008
【図７】
2008290485.tif 000009
【図８】
2008290485.tif 000010
【図９】
2008290485.tif 000011
【図１０】
2008290485.tif 000012
【図１１】
2008290485.tif 000013
【図１２】
2008290485.tif 000014